(57)【要約】【課題】  本発明の課題は、ブリスターおよびパッケージシステムを提供することにある。【解決手段】  ブリスターおよびパッケージシステムは、ブリスターカードと外部パッケージから作られ、独特な相互係合ロック機構を備える。ブリスターカードまたはブリスターストリップを外部パッケージまたはスリーブに挿入すると、外部パッケージまたはブリスターカードもしくはブリスターストリップをさらに処理しなくてもすぐにロックする。ユーザはロックを離脱することにより外部パッケージからブリスターを露出することができる。ブリスターカードまたはブリスターストリップは、１以上の個々の空洞またはブリスターが形成される成形可能な柔軟なシート材料を含む。ブリスターカードまたはブリスターストリップは、干渉機構を形成するプラスチック製のリベットアセンブリを含む。【選択図】      図１
2019104547.tif 000002
【特許請求の範囲】
【請求項１】
リップ及びフックを有するスリーブと、
製品を収容するために少なくとも１つのブリスターを有するベースであって、前記ブリスターが少なくとも１つの空洞を含む、ベースと、
前記ベースに結合される台紙と、
前記ベースに結合されるロック部材であって、露出した縁を有するリベットアセンブリを含むロック部材と、を備え、
前記ロック部材は前記ベースの上面から前記ベースの底面まで結合され、
前記ベースは前記スリーブ内で摺動可能であり、
前記ロック部材は、前記リップと係合することによって、前記ベースを前記スリーブ内で第１の位置に選択的にロックするように構成され、
前記ロック部材は、前記フックと係合することによって、前記ベースを前記スリーブ内で第２の位置に選択的にロックするように構成される、包装器具。
【発明の詳細な説明】
【技術分野】
【０００１】
本発明は包装の分野に関し、より具体的には、外部スリーブに封入されるブリスターストリップを有するディスペンサパッケージに関する。パッケージは、好ましくは、子供がブリスターストリップの内容物を取り出すことを防止しながら、高齢者が収容された薬剤を取り出しやすいように設計されたロック機能を有する。
【背景技術】
【０００２】
ブリスターカードパッケージは、医薬品、電池、裁縫道具、ミニカー等を含む多くの製品の流通のために広く使用されている。ブリスターカードパッケージはブリスターに収容される製品を包装するための補強材または台紙として使用され、１列の個々のブリスターを有するブリスターストリップ、または個々のブリスターの二次元行列を有するソリッドフォームブリスター（これは、以下に詳しく述べる）を備えることができる。典型的には、ブリスターカードパッケージは厚紙などの事前印刷された堅い紙から構成され、これが折り曲げられると少なくとも２つの隣接する側面を作る。典型的には、側面の片方または両方に開口を含む。包装される製品は通常透明なプラスチック製の個々のブリスターに入れられ、これは製品が１つまたは２つの開口から突出するようにブリスターカードパッケージの２つの隣接する側面の間に挿入することができる。さらに、厚紙の２つの側面を、典型的には熱および圧力の印加によって封止して、プラスチック製の個々のブリスターをそのブリスターカードパッケージの内部に保持する。
【０００３】
ブリスターカードパッケージは個々のブリスターを収容することができ（上記説明したように）、またはブリスターストリップもしくはソリッドフォームブリスターを受けるように設計することができる。後者は一般流通または治験用の医薬品を包装するために広く使用されている。医薬品はカプセル、丸薬、ドロップ等などの多数の形態で流通し、ブリスターストリップまたはソリッドフォームブリスターでの流通に適している。
【０００４】
ブリスターストリップは、フォイルなどの共通の台紙を有するプラスチック製の個々のブリスターの連続的なストリップを備え、これは１単位幅×任意の単位数の長さである。対して、ソリッドフォームブリスターは個々のブリスターの複数の水平列および垂直列の両方を備えるが、ソリッドフォームブリスターは典型的には共通の台紙も共有する。
【０００５】
ブリスターストリップおよびソリッドフォームブリスターは、ストリップを薬剤の服用量の要件を満たすように特別に構成することができるので、一般に普及している医薬品用の容器である。
【０００６】
例えば、抗生物質の処方は、１６錠を特定の順序で摂取するよう要求することがある。ブリスターストリップまたはソリッドフォームブリスターは、丸薬を摂取すべき同じ順序で丸薬を包装するように製造することができる。それから、ブリスターストリップまたはソリッドフォームブリスターは、各服用量を摂取する時間と方法に関する印刷指示を記載した事前印刷ブリスターカードパッケージに包装することができる。（加えて、１６錠の１つのストリップまたは４錠幅×４錠長さの１つのソリッドフォームブリスターをブリスターカードパッケージに挿入すると、特定の順序で配列される１６錠別々のブリスターを挿入するよりもはるかに実行しやすい）。そのため、一般流通される、または治験で使用される医薬品は、典型的には封止されたブリスターカードパッケージ内に収容されるブリスターストリップまたはソリッドフォームブリスターに包装される。
【０００７】
多くのブリスターカードパッケージ製品、特に医薬品は、子供もしくは精神障害のある成人には有害、または致命的になることさえある。しかし同時に、ブリスターカードパッケージに収容される製品は高齢者を含む他の成人の健康に欠かすことができないものであり、その中には身体能力および認識力が低下し、および視力が悪い人、もしくは身体能力および認識力が低下し、または視力が悪い人もいる。そのため、子供がブリスターに収容された製品を取り出すことを防止すると同時に、高齢者がその内容物を取り出しやすいブリスターカードパッケージを製造するのが望ましい。当該包装は当業界では周知であり、一般にチャイルドレジスタントおよびシニアフレンドリー（小児誤飲防止で高齢者に配慮した）包装と呼ばれている。
【０００８】
連邦政府は、政府が危険だと見なす物質はチャイルドレジスタントおよびシニアフレンドリー包装によって包装されることを確実にするために様々な法律を施行してきた。具体的には、連邦政府は１９７０年１２月３０日に１９７０年毒物予防法（「ＰＰＡ」）（Ｐｕｂ．Ｌ．９１−６０１，８４  Ｓｔａｔ．１６７０，１５Ｕ．Ｓ．Ｃ．１４７１−７５）を制定した。これを参照により本明細書に組み込む。１９７０年毒物予防法は、有害な物質をチャイルドレジスタント包装、つまり、身体障害もしくは精神障害をもたない５歳未満の子供が、「そこに収容された有害量の物質を妥当な時間内に開封し、または取得すること」ができないようにし、かつシニアフレンドリー包装、つまり、「通常の成人が適切に使用するのが難しいものであってはならない」包装に包装することを要求している。注目すべきは、ＰＰＡは、子供が有毒もしくは有害量の物質を開封し、または取得することを、試みた回数の１００％防止することを要求していない。物質が個別単位で包装されている場合、米国連邦規則集は、チャイルドレジスタント包装は、１００回の試みのうち８０回以上有効であることを要求している（１６  Ｃ．Ｆ．Ｒ．  １７００．１５（ｂ）（１））。逆に、精神障害もしくは身体障害をもたない５０歳から７０歳までの高齢者が、包装に添付された印刷指示を見ることができる場合、１００回の試みのうち９０回以上包装を開封できるべきである（１６  Ｃ．Ｆ．Ｒ．  １７００．１５（ｂ）（２）（ｉ−ｉｉ），１６  Ｃ．Ｆ．Ｒ．  １７００．２０（ａ）（３）（ｉ），１６  Ｃ．Ｆ．Ｒ．１７００．２０（ａ）（３）（ｉｖ））。
【０００９】
前述の連邦のガイドラインを確実に遵守するために、ブリスターカード包装を試験機関に提出され、そこでチャイルドレジスタンス等級と包装がシニアフレンドリーかどうかを判定する。包装は、９０パーセントのガイドラインのみに基づいて、つまり、高齢者が１００回の試みのうち少なくとも９０回包装を開封できることに基づいて、シニアフレンドリーと評価する。しかし、チャイルドレジスタンス等級は、Ｆ１からＦ８までの尺度で判定される。Ｆは「致命度」を表し、後に続く数字は服用量を表すので、Ｆ４は「４回分の服用量で致命的」である。（したがって、子供がブリスターカードパッケージ内に収容された製品を取り出すことが難しいほど、包装に適用されるチャイルドレジスタンス等級は低くなる）。Ｆ１、つまり、１回分の服用量が致死量と評価された包装内に収容される製品は子供が非常に取り出しにくくするべきである一方、Ｆ８、つまり、８回分の服用量が致死量と評価された製品は同じ水準の難しさを要求されないことは直感的にわかる。潜在的に致死性の医薬品または治験薬の流通に使用されるブリスターカードパッケージは、使用前に前述の連邦ガイドラインに合格しなければならない。加えて、チャイルドレジスタンス等級は、どの種類の医薬品を各等級の包装に入れて流通できるかを決定する。つまり、３回分の服用量で致死に至る医薬品は、Ｆ４からＦ８と評価されるブリスターカードパッケージに包装することはできない。薬剤の致死量が確立されていない場合、連邦規則は薬剤が８回分の服用量で致死に至るとする想定を要求しており、そのためこのような薬剤はＦ８と評価される包装で流通することができる。
【００１０】
現在、チャイルドレジスタントおよびシニアフレンドリー試験に関する連邦ガイドラインに合格したブリスターカードパッケージが存在する。既存の多くの特許を取得したブリスターカードパッケージは、元々は非致死性の薬剤の流通のために設計されたものであり、そのため連邦試験ガイドラインに合格するよう要求されなかった。より大きな市場のユーザに向けて販売するために、これらのブリスターカードパッケージは、板紙層を追加し、板紙の外側にプラスチックまたはテープ層を追加し、脆弱なフォイル台紙をより脆弱性の低い紙で補強することなどを含め多様な方法を使用してチャイルドレジスタント機能を達成するよう改造された。
【００１１】
前述の改造を行った後、以前はチャイルドレジスタントではなかった多くのブリスターカードパッケージはチャイルドレジスタント試験に合格することができたが、包装は他の点で望ましくなくなった。例えば、補強層の追加により、丸薬をブリスター台紙からきれいに押し出すのが頻繁に妨げられ、それによって他の隣接する丸薬の台紙の劣化が生じた。特に、一部のブリスターカードパッケージの製造者は、丸薬が押し出されるフォイル台紙に紙の層を追加した。紙およびフォイル台紙、もしくは紙またはフォイル台紙はときどききれいに裂けず、ユーザは次の方法を取らざるをえない。ユーザは丸薬に手が届くように十分に台紙を掴んで剥がせるように、台紙が十分な量取り除かれるまで台紙を擦り取るのである。これは、特に高齢者または身体障害をもつ他の成人にとっては非常に難しい場合がある。加えて、これらブリスターカードパッケージは、最小量より多くのプラスチックを用いて製造されており、製造または使用後の処分が環境に配慮したものとはならない。
【００１２】
前述した問題のいくつかに対処するために、製造者は投薬治療の過程が完了するまで何度も開閉するのに十分に頑丈であるが、子供が医薬品を取り出すことを防止するロック機構を有する安全なパッケージに医薬品を収容するための代替形態の包装に注目してきた。医薬品を収容し、外側板紙シェルの中に収容される内部スライドカードを有する２部構成の板紙容器を備える様々なパッケージが利用されてきた。これらデバイスは子供による取り出しを防止するロック機構を有するが、押しボタンタブに十分な力を加えたときに、スライドカードが板紙シェルから完全に引き出されることを防止していない。さらに他のパッケージは平置され、事前に糊付けされるパッケージの流通において組立するのが容易ではない。
【００１３】
このように、服用量がなくなるまでパッケージを何度も利用する過程で高齢者にとって使い易さを維持しながら、試験したときに高いチャイルドレジスタンス等級を達成するロック機構を有するチャイルドレジスタントおよびシニアフレンドリーパッケージの明らかなニーズがある。環境に配慮し、コストを削減し、市場への迅速な投入を高めながら、顧客の確立したブリスターレイアウトに最低限の改造をするだけでよいチャイルドレジスタントおよびシニアフレンドリー包装の別のニーズもある。
【発明の概要】
【発明が解決しようとする課題】
【００１４】
一般に、本発明は、特に一般または治験利用のための医薬品の流通に適した改良型チャイルドレジスタントおよびシニアフレンドリー丸薬ディスペンサパッケージを提供する。具体的には、本発明の丸薬ディスペンサパッケージはロック機構により連邦政府が義務付けるチャイルドレジスタントおよびシニアフレンドリーに関するガイドラインを達成しながら、身体能力が低下した人を含めすべての成人にとって使い易い丸薬ディスペンサパッケージも提供する。加えて、本発明の丸薬ディスペンサパッケージは、残りの医薬品を密閉する丸薬ディスペンサパッケージングのチャイルドレジスタンス等級を低下させることなく、個々の医薬品を何度も丸薬ディスペンサから取り出すことを可能にする。
【００１５】
本発明の目的は、子供が開封しにくい丸薬または医薬品ディスペンサ包装を提供することである。
加えて、本発明の目的は、適格な成人および身体能力が低下した人を含む高齢者にとって容易に取り出し可能な包装を提供することである。
【００１６】
さらに、本発明の目的は、連邦政府が義務付けるガイドラインに合格するチャイルドレジスタントおよびシニアフレンドリー包装を提供することである。
また、本発明の目的は、安価で容易に製造される包装を提供することである。
【００１７】
さらに、本発明の目的は、環境に優しい包装を提供することである。
加えて、本発明の目的は、市場で確立されているブリスターストリップのレイアウトを利用する包装を提供することである。
【００１８】
さらに、本発明の目的は、指示を包装に直接印刷できる包装を提供することである。
【課題を解決するための手段】
【００１９】
本発明のある非限定的な態様において、包装器具が提供され、内側パネルと、底面パネルと、上面パネルを内側パネルに連結する内側折込みパネルおよび左側パネルに沿って内側パネルに連結される内側閉鎖パネルとを含む。左側折込みパネルは底面パネルと上面パネルを互いに連結し、右側折込みパネルは上面閉鎖パネルを底面パネルに連結する。底面右側パネルは第１共通縁に沿って上面右側パネルに連結する。内側パネルは第２共通縁に沿って上面右側パネルに連結され、そこで内側閉鎖パネル、内側パネル、内側折込みパネル、上面パネル、左側折込みパネル、底面パネル、右側折込みパネル、および上面閉鎖パネルが開口部を有するスリーブを形成し、スリーブは実質的に矩形の断面を有する。内側パネルは第２共通縁の正反対の縁に矩形の切抜きを含む。スリーブは矩形断面に直交する摺動方向に沿ってその中を摺動可能な挿入物を受け入れるようになされており、挿入物は矩形の切抜きに連結されるロック部材を含む。ロック部材は、ロック部材が矩形の切抜きと係合しているときに、スリーブがスリーブから滑り出ることを防止する。
【００２０】
本発明の一態様において、包装器具は、上面パネルと、前記上面パネルに連結する底面パネルと、前記上面パネルに連結する第１内側パネルと、ロック部材を有する挿入物と、を備え、前記ロック部材は、前記挿入物にリベットされるリベットアセンブリを含むとともに露出した縁を含み、前記上面パネル、前記底面パネル、および前記第１内側パネルは、折り曲げられたとき、開放された第１端と閉鎖された第２端とを有するスリーブを形成し、前記第１内側パネルは、前記第２端に隣接する第１切抜きを備えており、前記スリーブ及び前記挿入物は、同挿入物が同スリーブ内において前記第１端と前記第２端との間で摺動方向に沿って摺動することを許容するよう構成され、前記第１切抜きは、前記第１内側パネルに第１リップを形成して、前記挿入物が前記スリーブの中に位置しているときに前記ロック部材を受ける。  本発明の更なる態様において、包装器具は、上面パネルと、前記上面パネルに連結する底面パネルと、前記上面パネルに連結する第１内側パネルと、前記第１内側パネルに連結する第２内側パネルと、ロック部材を有する挿入物と、を備え、前記ロック部材は、前記挿入物にリベットされるリベットアセンブリまたはロックパネルを含むとともに露出した縁を含み、前記上面パネル、前記底面パネル、前記第１内側パネル及び前記第２内側パネルは、折り曲げられたときに、開放された第１端と閉鎖された第２端とを有するスリーブを形成し、前記第１内側パネル及び前記第２内側パネルは、前記第２端に隣接する第１切抜きを備えており、前記スリーブは、前記スリーブ内において前記第１端と前記第２端との間で摺動方向に沿って摺動可能である前記挿入物を受容するよう構成され、前記第１切抜きは第１リップを形成して、前記挿入物が前記スリーブの中に位置しているときに、前記ロック部材を受ける。
【００２１】
本発明の第２の非限定的な側面において、ブリスターカードまたはストリップと外部パッケージとを含み、独特な相互係合ロック機構を備えたブリスターおよびパッケージシステムが提供される。
【００２２】
ブリスターカードが外部パッケージに挿入されると、外部パッケージまたはブリスターカードをさらに処理しなくても、すぐにロックする。ユーザはロックを解除することによってブリスターを外部パッケージから露出することができる。ブリスターカードは成形可能な柔軟なシート材料を含み、そこに１以上の個々の空洞またはブリスターが形成される。分離した空洞に製品が装入されて、アルミフォイルなどの穿刺可能なまたは引裂き可能なシート材料の１以上の層で封止される。ブリスターカードはプラスチック製のリベットアセンブリなどのインターフェース機構を含む。リベットは、好ましくは、内部に形成されるパネルによって拘束されて、外部パッケージに含まれるキャッチフラップによって係止される。
【００２３】
本発明の他の目的、特徴および特性、並びに操作方法および構造の関連要素の機能、および部品の組み合わせと製造の経済性は、そのすべてが本明細書の一部を成す添付の図面を参照して以下の詳細な説明を考慮すると一層明らかになるであろう。
【図面の簡単な説明】
【００２４】
本発明をより完全に理解するために、ここで以下の図面を参照する。
【図１】本発明の好適な実施形態による閉鎖位置の丸薬ディスペンサの上面斜視図である。
【図２】本発明の好適な実施形態による図１に図示する丸薬ディスペンサの底面斜視図である。
【図３Ａ】本発明の好適な実施形態によるブリスターストリップの上面斜視図である。
【図３Ｂ】本発明の好適な実施形態による図３に図示するブリスターストリップの底面斜視図である。
【図４】本発明の好適な実施形態による図３Ａおよび３Ｂに図示するブリスターストリップの端面断面図である。
【図５】本発明の好適な実施例による丸薬ディスペンサの展開位置の上平面図である。
【図６】内側閉鎖パネル、上面右側パネルおよび底面右側パネルを折り畳んだ位置にした図５に図示するハウジングの上平面図である。
【図７】内側閉鎖パネル、上面右側パネルおよび底面右側パネルを折り畳んだ位置にした図６に図示するハウジングの上平面図である。
【図８】上面パネルをさらに折り畳んだ位置にした図７に図示するハウジングの上平面図である。
【図９】図１に図示する組み立てた状態の丸薬ディスペンサハウジング（またはスリーブ）の斜視図である。
【図１０】本発明の代替実施形態による丸薬ディスペンサのロック位置の斜視図である。
【図１１Ａ】本発明の代替実施形態によるブリスターストリップの上面斜視図である。
【図１１Ｂ】本発明の代替実施形態による図１１Ａに図示するブリスターストリップの底面斜視図である。
【図１２】本発明の代替実施形態による丸薬ディスペンサハウジング（またはスリーブ）の上平面図である。
【図１３】内側左側パネル、内側右側パネルおよび上面右側パネルを折り畳んだ状態にした図１２のハウジングの上平面図である。
【図１４】内側パネルを上面パネルおよび上面右側パネルの上にさらに折り畳んだ状態にした図１２のハウジングの上平面図である。
【図１５】図１０に図示する組み立てた状態のハウジング（またはスリーブ）の斜視図である。
【図１６】図１０に図示する丸薬ディスペンサの部分断面図であり、パネルがロック位置から解除された状態を示す。
【発明を実施するための形態】
【００２５】
添付の図面の図に記載される好適な実施形態を参照することにより、本発明の一層の理解を得ることができる。図示する実施形態は本発明を実施するシステムおよび方法の単なる代表例にすぎないが、本発明の編成および動作方法は、一般に、その更なる目的および利点と合わせて、図面および以下の説明を参照することにより一層容易に理解することができる。図面は、添付するまたは後で補正される請求項で特定して定められる本発明の範囲を限定するものではなく、単に本発明を明確にし、例証するためのものである。
【００２６】
本発明は、以下の本発明の好適な実施例の詳細な説明を参照することにより、より容易に理解することができる。しかし、本発明による技術、システムおよび操作構造は、多様な形態および形式で具現することができ、その一部は開示する実施形態のものとはかなり異なる可能性がある。したがって、本明細書で開示する特定の構造および機能の詳細は単なる代表例にすぎないが、その点に関して、開示の目的のために最良の実施形態を提供し、本発明の範囲を規定する本明細書の請求項の基礎を提供するものと見なされる。本明細書および添付の請求項で使用されるとき、単数形「ａ」、「ａｎ」および「ｔｈｅ」は、本文で明確にそうではないと示していない限り、複数の指示対象を含むことに留意しなければならない。
【００２７】
図１および図２を参照すると、例えば、本発明の好適な実施形態によるブリスターストリップ１１０などの挿入物を受け入れるようになされたスリーブ１０５を備える環境に優しい丸薬ディスペンサ１００が示されている。図示するように、ブリスターストリップまたはカード１１０およびその内容物は、ブリスターストリップ１１０の内容物を露出するためにブリスターストリップ１１０を方向１０２に沿った摺動運動で摺動させることにより、内側スリーブ１０５から選択的に取り出すことができる。丸薬ディスペンサ１００は、好ましくは、図５に図示される部分切抜きによって形成される選択的に押下げ可能なボタン２１５（図２に図示される）を備えるロック機能を含む。ボタン２１５はブリスターストリップ１１０をスリーブ１０５から離脱させるために押下げることができ、それによってブリスターストリップ１１０を解放し、ブリスターストリップ１１０は方向１０２に沿って摺動して、ブリスターストリップ１１０をスリーブ１０５から露出することができる。これを以下示して説明する。ブリスターストリップ１１０は、スリーブ１０５を形成するために様々なパネルを折り曲げることにより内側に形成されるリップ５６４（図５に示す）と係合する。ボタン２１５を押す前にブリスターストリップ１１０を摺動させた場合、リップ５６４（図５）がブリスターストリップ１１０から外れることが防止されているともに、ブリスターストリップ１１０がスリーブ１０５から滑り出ることが防止されている。また、ブリスターストリップ１１０はスリーブ１０５に挿入することができ、スリーブ１０５またはストリップ１１０をさらに処理しなくてもすぐにロックする。
【００２８】
ここで図３Ａ、図３Ｂおよび図４を参照すると、本発明の好適な実施形態によるスリーブ１０５とともに使用するためのブリスターストリップ１１０の図が示されている。図３Ａに図示するように、ブリスターストリップ１１０はベース３０５を備えており、これは好ましくは可撓性で半硬質のプラスチックから構成されるが、射出成形プラスチック、厚いフォイル等を含む様々な他の材料を使用することもできる。ブリスターストリップ１１０は、ベース３０５から形成されるブリスター３１０などのブリスターも備える。ブリスター３１０は、丸薬または錠剤などの製品を受け入れるための空洞を含む（つまり、ブリスターストリップ１１０は１以上の個々の空洞を形成することのできる成形可能な柔軟なシート材料を含む）が、他の非限定的な実施例では、ブリスター３１０は非医薬製品を収容することができる。ある非限定的な実施例では、ブリスターストリップ１１０は二次元行列に配列された「ソリッドフォームブリスター」として示されるが、任意の数のブリスター３１０を本発明とともに利用することができる。また、ブリスターストリップ１１０は角３３５の後縁３４０に沿って提供され、上面３４５から底面３５０まで延びているプラスチック製のリベットアセンブリ３３０を含んでおり、リベットアセンブリ３３０はスリーブ１０５（図１に図示される）と係合するための干渉機構を形成する。プラスチック製のリベットアセンブリ３３０はスリーブ１０５（図１に図示する）を形成する様々なパネルを折り曲げることによって内側に形成されるリップ５６４（図５）と係合するために提供されており、それによって、以下に示して説明するようにスリーブ（図１）のロック機能が作用するようになる。他の非限定的な実施形態において、プラスチック製のリベットアセンブリ３３０は、本発明の範囲を逸脱することなく、後縁３４０の中心に沿って提供することができる。図示し、以下説明するように、リベットアセンブリ３３０は内側に形成されるパネルによって拘束されて、スリーブ１０５に含まれるフラップによって係止される。
【００２９】
ここで図３Ｂに移ると、ブリスターストリップ１１０の背面斜視図は台紙３１５を図示しており、これはベース３０５の底面に固着されて、それぞれ対応するブリスター３１０の開口部を封止するためのシール３２０として作用する。台紙３１５は、例えば、アルミフォイルなどの穿刺可能なまたは引裂き可能なシート材料の１以上の層から構成されるのが好ましいが、他の種類のフォイルまたは紙およびプラスチックなどの他の材料を使用することもできる。ある非限定的な実施形態において、台紙３１５は個々のブリスター開口部の外周と一致する台紙の部分（つまり、シール３２０）を囲むミシン目または切込目（図示せず）を備えて、ユーザが台紙３１５のシール３２０として作用する部分に貫入する、またはシール３２０からブリスター３１０の内容物を押し出すときに支援することができる。好ましくは、ブリスターストリップ１１０のシール３２０は、カプセルまたはアイテムを脆弱な層から押し出すときに、ブリスター３１０の内部に収容されているカプセルまたは他のアイテムの損傷を防止するために脆弱である。また、ブリスター３１０は耐引裂き・穿刺性で耐久性があり、可撓性の半硬質の材料から構成して、そのためカプセルまたはアイテムの破損を防止しながらユーザが個々のブリスター３１０を押すと、カプセルまたはアイテムがシール３２０から押し出されるようにするのが好ましい。さらに、ブリスター３１０は、ベース３０５にくぼみとして形成することができ、またはベース３０５に付着される異なる材料から構成することもできる。
【００３０】
図４にさらに詳細に図示するように、プラスチック製のリベットアセンブリ３３０は、スリーブ１０５（図１）のロック機能を可能にするために、雌リベット部材４１０に選択的に連結される雄リベット部材４０５を含むが、他の非限定的な実施例では、リベットアセンブリ３３０の代わりに、エアダクトリテーナまたは他の同様な種類のリテーナを利用することができる。雄リベット部材４０５は垂直ピン４０９に連結される円盤状部材４０７を含み、垂直ピン４０９はベース３０５に形成される開口４１５に受止される。円盤状部材４０７は上面３４５に当接する一方、ピン４０９は開口４１５を横断して、雌リベット部材４１０で選択的にロックされ、リベットアセンブリ３３０をベース３０５に選択的に連結する。雌リベット部材４１０は一般に円筒形をしており、ブリスターストリップ１１０がスリーブ１０５内部のロック位置にあるときにはスリーブ１０５の内側リップ５６４（図５）に食い込むだけの長さを有する一方で、ブリスターストリップ１１０がスリーブ１０５内部の非ロック位置にあるときにはリップ５６４（図５）から解放できるようにもなっている。雌リベット部材４１０は、ブリスターストリップ１１０をスリーブ１０５から滑り出るために必要なよりも大きい力を加えられたときに、部材４１０がリップ５６４（図５）から離脱することを防止するための周縁４２０をさらに含む。
【００３１】
図５に移ると、本発明の好適な実施形態によるスリーブ１０５を形成するためのブランク５００を開示する。ブランク５００は展開位置にあるスリーブ１０５である。ブランク５００は板紙から作るのが好ましく、耐引裂き性を高めるためにポリマーコーティングを被覆することができるが、他の非限定的な実施例では、ブランク５００は耐久性のある紙、合成材料、または他の同様な種類の材料から作ることもできる。
【００３２】
ブランク５００は数枚のパネルから構成するのが好ましく、スリーブ１０５を形成するために所定の折り線または事前破断線に沿って折り曲げられる。折り線は筋付けすることができる一方、事前破断線は筋押し操作によって形成され、その両方ともスリーブ１０５の組立中に様々なパネルを折り曲げることを簡単にするために提供される。また、スリーブ１０５の製造中に、数枚のパネルを所望の折り角（例、９０度または１８０度）で折り曲げ、パネル５０８、５０４、５５２、５３６および５５８をまとめて接着して、パネルをまとめて恒久的に結合することができる。図示するように、ブランク５００は内側パネル５０２、上面パネル５０４および底面パネル５０６を備える。内側パネル５０２は折り線５１０（また、第３折り線）および５１２を中心にして内側閉鎖パネル５０８に対して折り曲げられて、内側パネル５０２と内側閉鎖パネル５０８との間に左側パネル５１４を形成する。内側パネル５０２は矩形の切抜き５２８を含んでリップ５６４を形成し、これがリベットアセンブリ３３０（図３Ａ）に当接して、スリーブ１０５の内部にブリスターストリップ１１０をロックする。
【００３３】
別の底面右側パネル５１６は上面右側パネル５１８の鏡像であることが好ましく、底面右側パネル５１６は折り線５２０（また、第１折り線）に沿って上面右側パネル５１８に折り重ねられる。
【００３４】
底面右側パネル５１６はフック５２２を含む一方、上面右側パネル５１８は同様のフック５２４を有する。底面右側パネル５１６を上面右側パネル５１８の上に折り曲げると、フック５２２がフック５２４の上に折り曲げられ、フック５２２および５２４がリベットアセンブリ３３０をフック５２２および５２４に当接させて、ブリスターストリップ１１０のスリーブ１０５からの離脱を防止する。また、上面右側パネル５１８および底面右側パネル５１６は折り線５２６（また、第２折り線）に沿って折り曲げられて、スリーブ１０５の前面にフック５２２および５２４がくるようにし、それによってユーザが力を加えなくても、ブリスターストリップ１１０がスリーブ１０５から離脱することを防止するための障害物を提供する。さらに、ブランク５００には底面右側パネル５１６、上面パネル５０４、底面パネル５０６および上面印刷パネル５５６にそれぞれ複数の同様な半球状の切抜き５０１、５０３、５０５および５０７と、上面右側パネル５１８を内側パネル５０２から分離する縁５２６に球形の切抜き５０９とが設けられている。切抜き５０１、５０９、５０３および５０５はスリーブ１０５のグリップ開口部を形成し、ブリスターストリップ１１０（図３Ａ、図３Ｂ）を単に指で握るだけでスリーブ１０５から実質的に滑り出ることができるようにする。
【００３５】
図５に図示するように、内側パネル５０２は折り線５３０（また、第４折り線）および事前破断線５３２を中心に上面パネル５０４に対して折り曲げられて、内側パネル５０２と上面パネル５０４との間に内側折込みパネル５３４を形成する。上面背面パネル５３６は事前破断線５３８に沿って折り曲げられて、スリーブ１０５のための上面裏壁を形成する。上面パネル５０４は折り線５４０（また、第５折り線）および事前破断線５４２を中心に底面パネル５０６に対して折り曲げられて、左側折込みパネル５４４を形成する。底面背面パネル５５８は事前破断線５６０に沿って折り曲げられて、スリーブ１０５の底面裏壁を形成する。底面パネル５０６はボタン２１５（図２に図示）として作用し、ブリスターストリップ１１０（図３Ａ、図Ｂ）を解放し、ユーザがブリスターストリップ１１０をスリーブ１０５（図２）内部のロック位置から滑り出ることができるようにするためには、紙の面とは垂直な方向に押し下げなければならない部分切抜き５６２を含む。底面パネル５０６は折り線５４６（また、第６折り線）および事前破断線５４８に沿って上面閉鎖パネル５５２に対して折り曲げられて、右側折込みパネル５５０を形成する。左側折込みパネル５４４および右側折込みパネル５５０はそれぞれ左縁と右縁に沿ったスリーブの厚さを画成する。上面閉鎖パネル５５２は折り線５５４に沿って上面印刷パネル５５６に結合されており、上面閉鎖パネル５５２には上面閉鎖パネル５５２を上面パネル５０４の相対面に接着結合するために糊が選択的に設けられているので、スリーブ１０５をその組立形態に保持する。上面印刷パネル５５６には、スリーブ１０５をマーケティング資料、例えば、紙、封筒または雑誌に一時的に接着するための一時的な糊（つまり、恒久性のない低粘着接着剤）または他の同様な種類の糊が選択的に設けられているが、他の非限定的な実施形態では、スリーブ１０５はスリーブ１０５を出荷する前に折り線５５４に沿ってパネル５５６を裂くことによって上面印刷パネル５５６なしで供給することもできる。
【００３６】
操作時、図１〜５に図示するように、ブリスターストリップ１１０（図１）はスリーブ１０５の内部において選択的にロックされて、「Ｆ１」チャイルドレジスタント丸薬ディスペンサ１００を形成することができる。リベットアセンブリ３３０（図３Ａ）は内部リップ５６４と係合し、リベットアセンブリ３３０が内部リップ５６４から外れるまで、ブリスターストリップ１１０がスリーブ１０５の空洞内にロックされる。丸薬ディスペンサ１００がそのロック状態にあるとき、周縁４２０（図４）はリップ５６４（図５）の下に存在する。ブリスターストリップ１１０を方向１０２（図１）に摺動すると、雌リベット部材４１０（図４）がリップ５６４（図５）に当接し、ブリスターストリップ１１０が方向１０２（図１）に滑り出ることを防止する。ブリスターストリップ１１０を解放するためには、ブリスターストリップ１１０（図１）を摺動する前に、押下げ可能な力をボタン２１５（図２）に加えることによって、雌リベット部材（図４）が上方に押されてリップ５６４（図５）から外れ、それによってリベットアセンブリ３３０（図３Ａ）が内側パネル５０２（図５）のリップ５６４から離脱する。それから、ブリスターストリップ１１０はブリスターストリップ１１０（図２）をスリーブ１０５から方向１０２（図１）に沿って摺動させることによって選択的に取り出すことができる。当然のことながら、リップ５６４（図５）は、様々なパネルを内側に折り曲げてスリーブ１０５を作ることによって、スリーブ１０５の底面に沿って存在させるように形成することができる。同様に当然のことながら、ボタン２１５（図２）を押す前にブリスターストリップ１１０を摺動すると、スリーブ１０５のボタン２１５（図２）に力を加えた後でもリップ５６４（図５）がリベットアセンブリ３３０（図３Ａ）から離脱することを防止するとともに、ブリスターストリップ１１０がスリーブ１０５から滑り出ることを防止する。
【００３７】
ここで図５〜９を参照すると、スリーブ１０５を組み立てるプロセスは、ブランク５００の様々なパネルを所定の順番で折り曲げるステップを含むことができる。まず、図５および図６に図示するように、底面右側パネル５１６（図５）が折り線５２０（また、第１折り線）に沿って１８０度折り曲げられて、底面右側パネル５１６が上面右側パネル５１８の上面に揃う。次に、図６に図示するように、上面右側パネル５１８が折り線５２６（また、第２折り線）に沿って１８０度折り曲げられて、底面右側パネル５１６および上面右側パネル５１８が内側パネル５０２（図６に図示される）の外周の中に位置付けられる。次に、内側閉鎖パネル５０８が折り線５１０（また、第３折り線）に沿って左側パネル５１４に対して９０度折り曲げられる。左側パネル５１４は事前破断線５１２に沿って折り曲げられて、内側閉鎖パネル５０８が内側パネル５０２（図６に図示される）の外周の中に位置付けられる。
【００３８】
次に、図７に図示するように、内側パネル５０２が折り線５３０（また、第４折り線）に沿って９０度折り曲げられて、内側折込みパネル５３４が事前破断線５３２に沿って９０度折り曲げられると、パネル５０４の外周の中に存在する。別の上面背面パネル５３６が事前破断線５３８に沿って折り曲げられると、裏壁が形成されて、内側閉鎖パネル５０８（図５）の内面が上面パネル５０４の内面に接着糊付けされるので、恒久的な接着結合が形成される。図８に図示するように、ブランク５００は折り線５４０（また、第５折り線）に沿って９０度折り曲げられて、さらに事前破断線５４２に沿って９０度折り曲げられると、内側パネル５２０を底面パネル５０６（図５）に存在させる。さらに、底面背面パネル５５８が９０度折り曲げられて、上面背面パネル５３６に接着結合されると、裏壁を形成する。
【００３９】
次に、図９に図示するように、右側折込みパネル５５０（図５）が方向９００に沿って折り線５４６（また、第６折り線）および事前破断線５４８に沿って９０度折り曲げられると、上面閉鎖パネル５５２が上面パネル５０４の外周の中に位置付けられる。次に、上面閉鎖パネル５５２は、上面閉鎖パネル５５２の内面を上面パネル５０４の外面に糊付けすることによって上面パネル５０４に接着結合されて、スリーブ１０５を形成する。パネルを糊付けすると、スリーブ１０５を所望の構成に固定しておくことになる。上面印刷パネル５５６は視認でき、一時的な糊を付けて、スリーブ１０５にマーケティング資料または他の同様な種類のマーケティング材料に一時的に装着させる。
【００４０】
図１０に図示する代替実施形態では、丸薬ディスペンサ１０００は、例えばブリスターストリップ１０１０など、ロック位置で、後端１０２０から開放端１０１５までスリーブ１００５の空洞内に存在する挿入物を受け入れるようになされているスリーブ１００５を備えることができる。図示するように、ブリスターストリップ１０１０は、ブリスターストリップ１０１０を方向１００２に沿って摺動運動で摺動させることにより、スリーブ１００５から選択的に取り出すことができる。丸薬ディスペンサ１０００は部分切抜き１２０２（図１２に図示される）を備えるロック機能を含む。ブリスターストリップ１０１０を解放して、ブリスターストリップ１０１０が方向１００２に沿って摺動できるようにするためには部分切抜き１２０２押下げられなければならず、これは以下示して説明する。当然のことながら、ブリスターストリップ１０１０は様々なパネルを折り曲げることによってスリーブ１００５の内部に形成されるリップ１２０４（図１２に図示される）と係合するための突起を含む。同様に当然のことながら、以下示して説明するように、丸薬ディスペンサ１０００は、ボタンを押す前にブリスターストリップ１０１０を摺動することでブリスターストリップ１０１０がスリーブ１００５の内部から解放されることを防止し、それによってブリスターストリップ１０１０がスリーブ１００５からすり抜け、ブリスターストリップ１０１０の潜在的に危険な内容物が子供に露出することを防止するチャイルドレジスタントロック機能を含む。
【００４１】
ここで図１１Ａおよび図１１Ｂを参照すると、本発明の代替実施形態によるスリーブ１００５（図１０）とともに使用するためのブリスターストリップ１０１０の斜視図が示されている。図１１Ａに図示するように、ブリスターストリップ１０１０の斜視図は図３Ａおよび図３Ｂで図示して説明したブリスターストリップ１１０と実質的に同様なものであり、ベース１１０５を含み、これは可撓性の半硬質のプラスチックから構成されるのが好ましいが、射出成形プラスチック、厚いフォイル等を含めた様々な他の材料を使用することもできる。ブリスターストリップ１０１０は、ベース１１０５から形成されるブリスター１１１０などのブリスターも備える。ブリスター１１１０は丸薬または錠剤などの製品を受け入れるための空洞を含むが、他の非限定的な実施例では、ブリスター１１１０は非医薬品を収容することもできる。ある非限定的な実施例では、ブリスターストリップ１０１０は二次元行列に配列される「ソリッドフォームブリスター」であるが、ブリスター１１１０用のあらゆる種類の構成を本発明とともに利用することもできる。また、ブリスターストリップ１０１０は後縁１１２０の底面１１０７でベース１１０５にリベットされる半硬質のプラスチックから作られるのが好ましいロックパネル１１１５を含む（つまり、後縁１１２０は、図１０に図示するように、ロック位置で後端１０２０に位置付けられる）。以下に示して説明するように、ロックパネル１１１５は、方向１１３０でブリスター１１１０に向かって縁１１２０を包む略台形部分１１２５を含み、さらにリップ１２０４（図１２）に当接して、スリーブ１００５（図１０）のロック機能を可能にするために設けられる露出した縁１１３５を含む。他の非限定的な実施形態では、ロックパネル１１１５をベース１１０５に連結するために、ピン、糊、とじ金または他の同様な種類の装着手段を利用することができる。
【００４２】
図１１Ｂに移ると、ブリスターストリップ１０１０の背面斜視図は、ベース１１０５の底面に固着されて、それぞれ対応するブリスター１１１０の開口部を封止するためのシール１１４５として作用する台紙１１４０を図示している。台紙１１４０はアルミフォイルから構成するのが好ましいが、他の種類のフォイルまたは紙およびプラスチックなどの他の材料を使用することもできる。ある非限定的な実施形態では、台紙１１４０は、個々のブリスター開口部の外周に一致する台紙１１４０の部分（つまり、シール１１４５）を囲むミシン目または切込目（図示せず）を備えて、ユーザがシール１１４５として作用する台紙１１４０の部分に貫入し、またはブリスター１１１０（図１１Ａ）の内容物をシール１１４５から押し出すときに支援することができる。また、ロックパネル１１１５は、台紙１１４０と鋭角をなして方向１１３２に延びている略半球状部分１１５０を含む。以下示して説明するように、部分１１５０は略円弧状露出縁１１５５を有しており、これはリップ１２０６（図１２）に当接し、ブリスターストリップ１０１０が十分に延長した（または開放）位置でスリーブ１００５（図１０）から離脱することを防止するために設けられている。
【００４３】
図１２は、本発明の代替実施形態によるスリーブ１００５を組み立てるために、所定の折り線または事前破断線に沿って折り曲げられる様々なパネルを有するブランク１２００を開示する。ブランク１２００は展開位置にあるスリーブ１００５である。ブランク１２００は板紙から作られるのが好ましく、耐引裂き性を高めるためにポリマーコーティングを被覆することができるが、他の非限定的な実施例では、ブランク１２００は耐久性のある紙、合成材料、または他の同様な種類の材料から作ることができる。ブランク１２００は、スリーブ１００５（図１０）を形成するために所定の折り線または事前破断線に沿って折り曲げられる数枚のパネルから構成するのが好ましい。折り線は筋付けされる一方で、事前破断線は筋押し操作によって形成され、その両方ともスリーブ１００５（図１０）の組立中に様々なパネルを折り曲げやすくするために設けられている。また、スリーブ１００５の製造工程中、数枚のパネルは所望の折り角度（例、９０°または１８０°）で折り曲げられ、パネル１２１４、１２１８、１２０８、１２４０、１２４６および１２１２はまとめてパネルを固定可能に連結するために糊付けすることができる。
【００４４】
図示するように、ブランク１２００は内側パネルと、上面パネル１２１０と、底面パネル１２１２とを備える。内側パネル１２０８は事前破断線１２１６（また、第１事前破断線）を中心に内側右側パネル１２１４に対して折り曲げられ、事前破断線１２２０（また、第２事前破断線）を中心に内側左側パネル１２１８に対しても折り曲げられる。内側パネル１２０８および内側左側パネル１２１８は事前破断線１２２０に沿って略矩形の切抜き１２２２を含む。また、内側パネル１２０８は事前破断線１２１６に沿って略矩形の切抜き１２２４を含む一方で、内側右側パネル１２１４は事前破断線１２１６に沿って部分的に設けられている略矩形の切抜き１２２６を含む。切抜き１２２６は、ブリスターストリップ１０１０が開放位置に完全に延長したときにブリスターストリップ１０１０がスリーブ１００５（図１０）から離脱することを防止するリップ１２０６を含み、これは以下示して説明する。
【００４５】
上面パネル１２１０は事前破断線１２４２に沿って折り曲げられて上面裏面パネル１２４０を形成する一方で、底面パネル１２１２は事前破断線１２４８に沿って折り曲げられて底面裏面パネル１２４６を形成する。また、上面パネル１２１０は事前破断線１２５０および１２５２を中心に底面パネル１２１２に対して折り曲げられて、内側パネル１２０８と上面パネル１２１０との間に右側折込みパネル１２５４を形成する。内側パネル１２０８は矩形の切抜き１２２２を含んで、突出したリップ１２０４を形成し、これが縁１１５５（図１１Ｂ）に当接して、ブリスターストリップ１１１０をスリーブ１００５内にロックする。また、上面右側パネル１２３４は事前破断線１２３６を中心に上面パネル１２１０に対して折り曲げられる。上面右側パネルは縁に球形の切抜き１２３８を含んで、上面右側パネル１２３４と上面パネル１２１０とを分離する。切抜き１２２４および１２３８はスリーブ１００５のグリップ開口部を形成して、ブリスターストリップ１０１０（図１０）を単に指で握るだけでスリーブ１００５から実質的に滑り出ることを可能にする。
【００４６】
上面パネル１２１０は事前破断線１２３０および１２３２を中心に底面パネル１２１０に対して折り曲げられて、内側パネル１２０８と上面パネル１２１０との間に左側折込みパネル１２２８を形成する。ブランク１２００は部分切抜き１２０２を備えるロック機能を含み、ブリスターストリップ１０１０を離脱して、ユーザがブリスターストリップ１０１０を方向１００２（図１０に図示される）に沿って摺動させてブリスターストリップ１０１０の内容物を取り出せるようにするためには、部分切抜き１２０２を押下げなければならない。ブリスターストリップ１０１０はリップ１２０４と係合し、部分切抜き１２０２を押す前にブリスターストリップ１０１０を摺動した場合、リップ１２０４（図１２に図示される）がブリスターストリップ１０１０から外れることが防止され、このため、ブリスターストリップ１０１０がスリーブ１００５から滑り出ることが防止されている。これを以下示して説明する。
【００４７】
ここで図１２〜１５を参照すると、スリーブ１００５（図１０）を組み立てるプロセスは、ブランク１２００（図１２）の様々なパネルを所定の順序で折り曲げるステップを含むことができる。まず、図１２および図１３に図示するように、内側右側パネル１２１４は事前破断線１２１６に沿って１８０度折り曲げられて、内側パネル１２０８に糊付けされて、内側右側パネル１２１８を内側パネル１２０８の外周の中に恒久的に位置付ける。次に、内側左側パネル１２１８を事前破断線１２２０に沿って１８０度折り曲げて、内側パネル１２０８に糊付けして、内側左側パネル１２１８を内側パネル１２０８の外周の中に恒久的に位置付ける。次に、上面右側パネル１２３４を事前破断線１２３６に沿って１８０度折り曲げて、上面パネル１２１０に糊付けして、上面右側パネル１２３４を上面パネル１２１０の外周の中に恒久的に位置付ける。
【００４８】
次に、図１４に図示するように、内側パネル１２０８を事前破断線１２３０に沿って９０度折り曲げ、左側折込みパネル１２２８を９０度折り曲げることによって、内側パネル１２０８の設置面積を上面パネル１２１０の外周の中に存在させる。また、上面裏面パネル１２４０（図１２）を事前破断線１２４２に沿って９０度折り曲げて、裏壁を形成する。次に、図１５に図示するように、底面パネル１２１２を事前破断線１２５２に沿って９０度折り曲げて、右側折込みパネル１２５４を事前破断線１２５０（図１２）に沿って９０度折り曲げることによって、底面パネル１２１２を内側パネル１２０８（図１４）の上面に存在させる。底面パネル１２１２は内側パネル１２０８の露出面に糊付けして、底面パネル１２１２を内側パネルに恒久的に結合する。最後に、底面裏面パネル１２４６を９０度折り曲げて、上面裏面パネル１２４０に糊付けして、スリーブ１００５の恒久的な壁を形成する。
【００４９】
操作時、図１０、図１１Ａ、図１２および図１６に図示するように、ブリスターストリップ１０１０（図１６）はスリーブ１００５の中に選択的にロックすることができるので、「Ｆ１」チャイルドレジスタント丸薬ディスペンサ１０００を形成する。図１６に図示するように、ロック機能はロックパネル１１１５を利用して係合されて、内側パネル１２０８の突出したリップと係合し、ロックパネル１１１５が離脱するまでブリスターストリップ１０１０をスリーブ１００５の空洞の内部にロックする。特に、丸薬ディスペンサ１０００がそのロック位置にあるとき、垂直軸１６０５に沿って揃えられている部分１１５０（図１６）の露出した縁１１５５（図１１Ｂ）は、リップ１２０４（図１６）の下に存在し、ブリスターストリップ１０１０が方向１６００に滑り出ることを防止する障害物を提供する。ブリスターストリップ１０１０を解放するためには、部分１１５０を上方に押してリップ１２０４から外し、それによってロックパネル１１１５を内側パネル１２０８から離脱するためにブリスターストリップ１０１０を摺動する前に、これも垂直軸１６０５に沿って揃えられている部分切抜き１２０２に押下げ可能な力を加える。これで、ブリスターストリップ１０１０は、ブリスターストリップ１０１０を方向１６００に沿って摺動することによって選択的に取り出すことができる。さらに、ブリスターストリップ１０１０が方向１６００に沿って摺動すると、内側右側パネル１２１４（図１２）のリップ１２０６が部分１１５０に当接してスリーブ１００５から離脱することを防止する。当然のことながら、部分切抜き１２０２を押す前にブリスターストリップ１０１０を摺動することで、ブリスターストリップ１０１０に摺動力を加えた後でも、リップ１２０４がロックパネル１１１５から離脱することを防止し、それによってブリスターストリップ１０１０がスリーブ１００５から滑り出ることを防止する。
【産業上の利用可能性】
【００５０】
本発明を１以上の好適な実施形態を参照して説明し、本発明の完全な開示を行うために詳細に記載してきたが、当該実施形態は単なる例示的なものであり、本発明を限定する、または本発明のすべての態様の網羅的列挙を表すものではない。そのため、本発明の範囲は、以下の請求項によってのみ定義されなければならない。さらに、本発明の精神および原理を逸脱することなく当該詳細に多数の変更を行うことがえきることは、当業者には明らかであろう。
【００５１】
付記１．上面パネルと、
前記上面パネルに連結する底面パネルと、
前記上面パネルに連結する第１内側パネルと、
ロック部材を有する挿入物と、を備え、
前記ロック部材は、前記挿入物にリベットされるリベットアセンブリを含むとともに露出した縁を含み、
前記上面パネル、前記底面パネル、および前記第１内側パネルは、折り曲げられたとき、開放された第１端と閉鎖された第２端とを有するスリーブを形成し、
前記第１内側パネルは、前記第２端に隣接する第１切抜きを備えており、
前記スリーブ及び前記挿入物は、同挿入物が同スリーブ内において前記第１端と前記第２端との間で摺動方向に沿って摺動することを許容するよう構成され、
前記第１切抜きは、前記第１内側パネルに第１リップを形成して、前記挿入物が前記スリーブの中に位置しているときに前記ロック部材を受ける、包装器具。
【００５２】
付記２．前記上面パネル及び前記底面パネルに連結する第１サイドパネルと、
前記上面パネル及び前記第１内側パネルに連結する第２サイドパネルと、
前記底面パネルに連結するエンドパネルと、をさらに備え、
前記上面パネル、前記底面パネル、前記第１内側パネル、前記第１サイドパネル、前記第２サイドパネル及び前記エンドパネルは、折り曲げられたときに、略矩形の断面を有する前記スリーブを形成する、付記１の包装器具。
【００５３】
付記３．前記第１内側パネルに連結する第２内側パネルと、
前記第１端に隣接する第２切抜きと、をさらに備え、
前記第２切抜きは、前記第２内側パネルに第２リップを形成し、同第２のリップは、前記挿入物が部分的に前記スリーブの中に位置しているときに、前記挿入物の前記ロック部材を受ける、付記２に記載の包装器具。
【００５４】
付記４．前記ロック部材は、第１ロック位置において前記第１リップと係合するよう構成され、
前記ロック部材は、第２ロック位置において前記第２リップと係合するよう構成される、付記３に記載の包装器具。
【００５５】
付記５．前記底面パネルは、力が加えられると前記ロック部材を解放するよう構成される部分的に切抜きされたボタン部を有する、付記１に記載の包装器具。
付記６．前記挿入物は少なくとも１つのブリスターパッケージである、付記１に記載の包装器具。
【００５６】
付記７．前記ロック部材はリベット又はフラップである、付記１に記載の包装器具。
付記８．上面パネルと、
前記上面パネルに連結する底面パネルと、
前記上面パネルに連結する第１内側パネルと、
前記第１内側パネルに連結する第２内側パネルと、
ロック部材を有する挿入物と、を備え、
前記ロック部材は、前記挿入物にリベットされるリベットアセンブリを含むとともに露出した縁を含み、
前記上面パネル、前記底面パネル、前記第１内側パネル及び前記第２内側パネルは、折り曲げられたときに、開放された第１端と閉鎖された第２端とを有するスリーブを形成し、
前記第１内側パネル及び前記第２内側パネルは、前記第２端に隣接する第１切抜きを備えており、
前記スリーブは、前記スリーブ内において前記第１端と前記第２端との間で摺動方向に沿って摺動可能である前記挿入物を受容するよう構成され、
前記第１切抜きは第１リップを形成して、前記挿入物が前記スリーブの中に位置しているときに、前記ロック部材を受ける、包装器具。
【００５７】
付記９．前記上面パネル及び前記底面パネルに連結する第１サイドパネルと、
前記上面パネル及び前記第１内側パネルに連結する第２サイドパネルと、
前記上面パネルに連結するエンドパネルと、をさらに備え、
前記上面パネル、前記底面パネル、前記第１内側パネル、前記第２内側パネル、前記第１サイドパネル、前記第２サイドパネル及び前記エンドパネルは、折り曲げられたときに、略矩形の断面を有する前記スリーブを形成する、付記８の包装器具。
【００５８】
付記１０．前記第１内側パネルに連結する第３内側パネルをさらに備え、
前記第１内側パネル及び前記第３内側パネルは、前記第１端に隣接する第２切抜きを有し、
前記第２切抜きは第２リップを形成し、同第２リップは、前記挿入物が部分的に前記スリーブの中に位置しているときに、前記挿入物の前記ロック部材を受ける、付記９に記載の包装器具。
【００５９】
付記１１．前記ロック部材は、第１ロック位置において前記第１リップと係合するよう構成され、
前記ロック部材は、第２ロック位置において前記第２リップと係合するよう構成される、付記１０に記載の包装器具。
【００６０】
付記１２．前記底面パネルは、力が加えられると前記ロック部材を解放するよう構成される部分的に切抜きされたボタン部を有する、付記８に記載の包装器具。
付記１３．前記挿入物は少なくとも１つのブリスターパッケージである、付記８に記載の包装器具。
【００６１】
付記１４．前記ロック部材はリベット又はフラップである、付記８に記載の包装器具。
【図１】
2019104547.tif 000003
【図２】
2019104547.tif 000004
【図３Ａ】
2019104547.tif 000005
【図３Ｂ】
2019104547.tif 000006
【図４】
2019104547.tif 000007
【図５】
2019104547.tif 000008
【図６】
2019104547.tif 000009
【図７】
2019104547.tif 000010
【図８】
2019104547.tif 000011
【図９】
2019104547.tif 000012
【図１０】
2019104547.tif 000013
【図１１Ａ】
2019104547.tif 000014
【図１１Ｂ】
2019104547.tif 000015
【図１２】
2019104547.tif 000016
【図１３】
2019104547.tif 000017
【図１４】
2019104547.tif 000018
【図１５】
2019104547.tif 000019
【図１６】
2019104547.tif 000020
【手続補正書】
【提出日】平成31年4月16日(2019.4.16)
【手続補正１】
【補正対象書類名】特許請求の範囲
【補正対象項目名】全文
【補正方法】変更
【補正の内容】
【特許請求の範囲】
【請求項１】
スリーブと、
少なくとも１つのブリスターを有するベースであって、前記少なくとも１つのブリスターが少なくとも１つの、外周を有する開口部を含む、ベースと、
前記ベースに結合される台紙であって、前記開口部の前記外周を囲む切込目を含む、台紙と、
前記ベースに結合されるロック部材であって、雌リベット部材に連結される雄リベット部材を含むロック部材と、を備え、
前記ベースは前記スリーブ内で摺動可能であり、
前記ロック部材は、前記ベースを前記スリーブ内で第１の位置に開放可能にロックするように構成され、
前記ロック部材は、前記スリーブからの前記ベースの取り出しを防止するように構成される、包装器具。
【請求項２】
前記少なくとも１つのブリスターは、内側に押されて反転状態になると、前記台紙を破壊するように適合される、請求項１に記載の包装器具。
【請求項３】
前記雄リベット部材は前記ベースの上面に当接する、請求項１に記載の包装器具。
【請求項４】
前記雌リベット部材は前記ベースの底面に当接する、請求項３に記載の包装器具。
【請求項５】
前記台紙は、前記少なくとも１つのブリスターの内側縁部にミシン目を有する、請求項１に記載の包装器具。
【請求項６】
前記ベースは実質的に可撓性を有する、請求項１に記載の包装器具。
【請求項７】
前記ロック部材は実質的に硬質である、請求項６に記載の包装器具。
【請求項８】
スリーブと、
少なくとも１つのブリスターを有するベースであって、前記ブリスターが前記ベース上に外周を有する開口部を含む、ベースと、
前記ベースに結合される台紙であって、前記開口部の前記外周を囲む切込目を含む、台紙と、
前記ベースに結合されるロック部材であって、雌リベット部材に連結される雄リベット部材を含むロック部材と、を備え、
前記ベースは前記スリーブ内で摺動可能であり、
前記ロック部材は、前記ベースを前記スリーブ内で第１の位置に開放可能にロックするように構成され、
前記ロック部材は、前記ベースが前記スリーブから取り外されることを防止するように構成される、包装器具。
【請求項９】
前記少なくとも１つのブリスターは、製品を取り出すために内側に押されるように適合される、請求項８に記載の包装器具。
【請求項１０】
前記台紙は前記少なくとも１つのブリスターの内側縁部にミシン目を有する、請求項８に記載の包装器具。
【請求項１１】
前記雄リベット部材は前記ベースの上面に当接し、前記雌リベット部材は前記ベースの底面に当接する、請求項８に記載の包装器具。
【請求項１２】
前記ロック部材は、ピンと、少なくとも１つの縁部を有するリベット部材とを含む、請求項８に記載の包装器具。
【請求項１３】
前記ベースは実質的に可撓性を有する、請求項８に記載の包装器具。
【請求項１４】
前記ロック部材は実質的に硬質である、請求項８に記載の包装器具。